(57)【要約】【課題】動画解像度を高めつつ、フリッカを低減することができ、更に動画像のエッジ部における色割れも軽減可能な表示装置を提供する。【解決手段】垂直同期信号と同じ周波数の信号Ａと、垂直同期信号の２倍以上の周波数の信号Ｂとの合成信号により画素の有機ＥＬ素子１５を駆動する。また、赤、緑、青の発光素子を有する画素に対して、それぞれ垂直同期信号と同じ周波数の信号ＡＲ、ＡＧ、ＡＢと、それぞれ垂直同期信号の２倍以上の周波数の信号Ｂとの合成信号により各画素の有機ＥＬ素子を駆動する。その際、信号ＡＲ、ＡＧ、ＡＢのそれぞれの立ち上がりと立ち下がりとの中間点を同期させる。【選択図】図１
2008224853.tif 000002
【特許請求の範囲】
【請求項１】
発光素子を含む複数の画素がマトリクス状に配置され、前記画素に情報線を介して情報信号を供給する情報線駆動回路と、前記画素に第１の走査線と第２の走査線を介して１垂直期間を示す垂直同期信号と１水平期間を示す水平同期信号とを供給する走査線駆動回路と、前記画素に点滅制御線を介して前記発光素子の点滅を制御する点滅制御信号を供給する点滅制御線駆動回路とを有する表示装置において、前記点滅線駆動回路は前記垂直同期信号と同じ周波数の第１の信号と、前記垂直同期信号の２倍以上の周波数の第２の信号との合成信号を前記点滅制御信号として前記画素に供給することを特徴とする表示装置。
【請求項２】
赤、緑、青の発光素子を有する３つの画素が順に配置され、前記点滅制御線駆動回路は、前記赤・緑・青の発光素子を有する画素に対して、それぞれ前記垂直同期信号と同じ周波数の第１の信号である信号ＡＲ、ＡＧ、ＡＢと、前記垂直同期信号の２倍以上の周波数の第２の信号である信号Ｂとの合成信号ＣＲｎ、ＣＧｎ、ＣＢｎを前記点滅制御信号として供給し、且つ、前記第１の信号である信号ＡＲ、ＡＧ、ＡＢのそれぞれの立ち上がりと立ち下がりの中間点が同期していることを特徴とする請求項１に記載の表示装置。
【請求項３】
前記画素は電流プログラミング型又は電圧プロミング型の画素回路であることを特徴とする請求項１又は２に記載の表示装置。
【請求項４】
前記第１の信号は前記垂直走査信号と同期していることを特徴とする請求項１乃至３のいずれか１項に記載の表示装置。
【請求項５】
前記第２の信号は前記垂直同期信号と同期していることを特徴とする請求項１乃至３のいずれか１項に記載の表示装置。
【請求項６】
前記発光素子は、有機ＥＬ素子であることを特徴とする請求項１乃至５のいずれか１項に記載の表示装置。
【発明の詳細な説明】
【技術分野】
【０００１】
本発明は、有機ＥＬ素子等の発光素子を用いた表示装置、特に、発光素子の駆動方法に関するものである。
【背景技術】
【０００２】
有機ＥＬ素子等を用いて構成されたフラットな表示パネルにおいては、複数行、複数列に配置した画素を行毎に走査線に、列毎にデータ線に共通に接続し、行走査回路より各走査線を選択する。それと同時に列走査回路より各データ線に所定の表示信号を印加して、選択された該当行の画素に所定の表示を行わせるマトリクス駆動が一般的である。このマトリクス駆動に関して、例えば、特許文献１にアクティブマトリクス駆動によるＥＬ表示パネルが開示されている。
【０００３】
有機ＥＬ素子を用いて構成された表示パネルは、有機ＥＬ素子に流れる電流を制御して各画素の発光強度の調整ができる。
【０００４】
図１０は従来例のアクティブマトリクス型表示パネルの概略構成を示すブロック図である。図中２０１は電流設定回路、２０２は走査線駆動回路、２０３はマトリクス状に配置された画素回路である。
【０００５】
図１１は従来の有機ＥＬ素子を含む画素回路の構成例を示す。Ｐ１及びＰ２は走査線であり、Ｐ０は情報線である。情報線から情報信号として電流データＩｄａｔａが入力される。有機ＥＬ素子の陽極はＴＦＴ（Ｍ４）のドレイン端子に接続されており、陰極は接地電位ＣＧＮＤに接続されている。トランジスタＭ１、Ｍ２、Ｍ４はＰ型ＴＦＴであり、Ｍ３はＮ型ＴＦＴである。
【０００６】
次に、概略動作について説明する。Ｉｄａｔａが入力される時、走査信号Ｐ１にはＨＩレベルの信号が、Ｐ２にはＬＯＷレベルの信号が入力され、トランジスタＭ２、Ｍ３はＯＮ、トランジスタＭ４はＯＦＦである。この時、トランジスタＭ４は導通状態ではないため、有機ＥＬ素子には電流は流れない。ＩｄａｔａによりトランジスタＭ１の電流駆動能力に応じた電圧が、トランジスタＭ１のゲート端子と電源電位Ｖ１の間に配置された容量Ｃ１に生じる。
【０００７】
有機ＥＬ素子に電流を供給する時は、Ｐ１にはＬＯＷレベルの信号、Ｐ２にはＨＩレベルの信号を入力する。この時、トランジスタＭ４はＯＮ、トランジスタＭ２、Ｍ３はＯＦＦとなる。トランジスタＭ４が導通状態であるため、容量Ｃ１に生じた電圧によりトランジスタＭ１の電流駆動能力に応じた電流が有機ＥＬ素子に供給される。その供給された電流に応じた輝度で有機ＥＬ素子が発光する。
【０００８】
ところで、このような有機ＥＬ素子を用いた表示パネルでは、明るさを調整することが難しい。液晶表示パネルではバックライトの明るさを調整すればよく、画質レベルを変えずに、比較的簡単に表示パネルの明るさを調整できる。
【０００９】
一方、有機ＥＬ素子の場合には、画素毎に流す電流量で明るさが制御されるため、全体を暗くしたい場合には低電流領域で全体を制御する必要がある。この制御性の悪い低電流領域を使うことに起因して、画質の劣化が生じてしまう。
【００１０】
そこで、全体の明るさを調整するために有機ＥＬ素子が発光する期間を制御する手法がある。しかし、１フィールド中に１０〜３０％以上の期間で非発光の時間帯がある場合には、フリッカが発生するという課題がある。フリッカは非発光期間に画面上を動く黒（非発光）の帯が広いと見えやすい傾向がある。
【００１１】
また、この明るさ調整とフリッカ低減を両立するため、非発光期間によって生じる黒の帯を狭くする手法がある。即ち、画素回路への画像データ書込みレートは同じままで（例えば６０Ｈｚ）、発光・非発光の点滅レートを高周波化するというものである。これは、特許文献２に開示されている。
【特許文献１】米国特許第６３７３４５４号明細書
【特許文献２】特開２００６−０５３２３６号公報
【発明の開示】
【発明が解決しようとする課題】
【００１２】
上述のように画素回路への画像データ書込みレートが、例えば、６０Ｈｚのままで発光・非発光の点滅レートを高周波化する（高周波点滅型）方法では、その見え方はホールド型の表示パネルと同じようになる。この場合、動画解像度がインパルス型表示パネルと比べて低下するという課題がある。
【００１３】
図１４はインパルス型、図１５はホールド型、図１６は高周波点滅型の動画像表示状態と見かけの像を示す。図１４から図１６の（ａ）は動画像の発光状態と時間軸と視線の関係を示す。横軸は画素の位置、縦軸は時間（フィールド）である。太線の矢印は視線の動きを示すものである。
【００１４】
図１４から図１６の（ｂ）は見かけの像を示す。横軸は見える像の相対位置、縦軸は輝度である。図１４から図１６の（ｂ）に示すａ〜ｊは図１４から図１６の（ａ）に示すａ〜ｊに対応する。図１４から図１６（ｂ）の傾斜が急なほど画像のエッジが際だって見えることを表す。また、図１４ら図１６（ｂ）の傾斜が緩やかなほどエッジがぼけて見えることを表す。
【００１５】
図１４から図１６の（ａ）に示すように画面上で物体が移動する際、物体の移動に追従して視線も連続的に移動することが分かる。その際、視覚情報として認識される見かけの輝度は、視界の各位置における輝度の積算量となる。
【００１６】
このため、図１４（ｂ）に示すようにインパルス型の表示パネルではエッジが際立って見えるのに対し、図１５（ｂ）や図１６（ｂ）に示すようにホールド型や高周波点滅型ではエッジがぼけて見えてしまう。そのため動画像解像度を高めつつ、フリッカを低減することが課題であった。
【００１７】
本発明の目的は、動画解像度を高めつつ、フリッカを低減することができ、更に動画像のエッジ部における色割れも軽減可能な表示装置を提供することにある。
【課題を解決するための手段】
【００１８】
本発明は、垂直同期信号と同じ周波数の第１の信号と、垂直同期信号の２倍以上の周波数の第２の信号との合成信号により画素の発光素子を駆動する。また、赤・緑・青の発光素子を有する画素に対して、それぞれ垂直同期信号と同じ周波数の第１の信号である信号ＡＲ、ＡＧ、ＡＢと、垂直同期信号の２倍以上の周波数の第２の信号である信号Ｂとの合成信号により発光素子を駆動する。その際、信号ＡＲ、ＡＧ、ＡＢのそれぞれの立ち上がりと立ち下がりの中間点を同期させる。
【発明の効果】
【００１９】
本発明によれば、動画表示の際にエッジが際だって見えるようになり、動画解像度を高めつつ、フリッカを低減することが可能となる。また、画像のエッジ部分の色割れを抑制でき、更に、パネル面内で均一な画質が得られる。
【発明を実施するための最良の形態】
【００２０】
次に、発明を実施するための最良の形態について図面を参照して詳細に説明する。本発明は、特に、有機ＥＬ素子を用いたアクティブマトリクス型表示パネルに好適に適用することができる。
【００２１】
本発明は、特に、発光素子（例えば有機ＥＬ素子とする）を含む画素は有機ＥＬ素子に電流を遮断するスイッチング素子等を有し、そのスイッチング素子を用いて情報信号の値に拘わらず有機ＥＬ素子の発光・非発光を選択制御する。その際の制御信号は垂直同期信号と同じ周波数の信号Ａと、垂直同期信号の２倍以上の周波数の信号Ｂとの合成信号である。その合成信号を用いて有機ＥＬ素子を点滅駆動する。
【００２２】
（第１の実施形態）
図１は本発明に係る表示装置の第１の実施形態を示すブロック図である。本実施形態に係る表示装置は、表示領域として、発光素子である有機ＥＬ素子を含む画素回路（画素）１３がマトリクス状に配置されている。情報線駆動回路1１はマトリクス状に配置された画素回路１３に情報線Ｐ０を介して情報信号である制御電流Ｉｄａｔａを供給する。
【００２３】
走査線駆動回路1２はマトリクス状に配置された画素回路１３に第１の走査線である走査線Ｐ１を介して１垂直期間を示す垂直同期信号を供給し、第２の走査線である走査線Ｐ２を介して１水平期間を示す水平同期信号を供給する。
【００２４】
点滅制御線駆動回路１４はマトリクス状に配置された画素回路１３に点滅制御線Ｐ３を介して点滅制御信号を供給し、画素回路１３内の有機ＥＬ素子を点滅駆動する。画素回路1３は制御電流の値に従って画素に流す電流を制御する。画素回路１３は有機ＥＬ素子やその駆動回路等を含んでいる。
【００２５】
有機ＥＬ素子を含む画素回路１３の構成例を図２に示す。図２は電流プログラミング型の例を示す。Ｐ０は情報線、Ｐ１及びＰ２は走査線であり、Ｐ１は第１の走査線、Ｐ２は第２の走査線である。Ｐ３は点滅制御線である。情報線駆動回路１１から情報線Ｐ０に情報信号として電流データＩｄａｔａが供給される。１５は発光素子として用いた有機ＥＬ素子である。
【００２６】
有機ＥＬ素子１５の陽極（Ａ）はＴＦＴ（Ｍ４）のドレイン端子に接続され、陰極（Ｋ）は接地電位ＣＧＮＤに接続されている。Ｍ１、Ｍ２、Ｍ４はＰ型ＴＦＴであり、Ｍ３はＮ型ＴＦＴである。Ｃ１は容量である。
【００２７】
次に、画素回路１３の動作について説明する。まず、情報線駆動回路１１から情報線Ｐ０にＩｄａｔａが入力される時、走査線Ｐ１にはＨＩレベル信号が、走査線Ｐ２にはＬＯＷレベル信号が、点滅制御線Ｐ３にはＨＩレベル信号が入力される。この時、トランジスタＭ２、Ｍ３はＯＮ、トランジスタＭ４はＯＦＦである。
【００２８】
また、その場合には、トランジスタＭ４は導通状態ではないため、有機ＥＬ素子１５には電流が流れない。その際、制御電流ＩｄａｔａによりトランジスタＭ１の電流駆動能力に応じた電圧が、トランジスタＭ１のゲート端子と電源電位Ｖｃｃの間に接続された容量Ｃ１に生じる。
【００２９】
有機ＥＬ素子１５に電流を供給する時は、走査線Ｐ１にはＬＯＷレベル信号、走査線Ｐ２にはＨＩレベル信号、点滅制御線Ｐ３にはＬＯＷレベル信号が入力される。この時、トランジスタＭ４はＯＮ、トランジスタＭ２、Ｍ３はＯＦＦとなる。その際、トランジスタＭ４は導通状態であるため、容量Ｃ１に生じた電圧によりトランジスタＭ１の電流駆動能力に応じた電流が有機ＥＬ素子１５に供給され、その供給された電流に応じた輝度で有機ＥＬ素子１５が発光する。
【００３０】
また、有機ＥＬ素子１５に流れる電流を遮断する時は、走査線Ｐ１にはＬＯＷレベル信号、走査線Ｐ２にはＨＩレベル信号、点滅制御線Ｐ３にはＨＩレベル信号が入力される。この時、トランジスタＭ４、Ｍ２、Ｍ３はＯＦＦとなる。その場合、トランジスタＭ４は非導通状態であるため、有機ＥＬ素子１５への電流供給が遮断され、非発光状態にすることができる。このように点滅制御線Ｐ３の信号のＨＩ・ＬＯＷを切り替えることで任意に発光期間を制御することができる。
【００３１】
なお、画素回路１３として図２の構成を一例に挙げたが、本発明はこれに限るものではない。即ち、電流プログラミング型を例に挙げたが、電圧プログラミング型等の回路を用いても構わない。
【００３２】
次に、表示装置全体の動作について説明する。図３は各信号線のタイミングチャートを示す。本実施形態では１水平期間の間に１つの走査線に接続された画素群に対して一括して情報電流を書き込む。
【００３３】
同様にして、順次次行の走査線に接続された画素群に対して一括して情報電流を書き込んでいき、１垂直期間（１６．６７ｍｓｅｃ：６０Ｈｚ相当）の間に全画素の書込みが終了する。図３に示す走査線Ｐ１ｎの信号は１垂直期間を示す垂直同期信号、走査線Ｐ２ｎの信号は１水平期間を示す水平同期信号である。Ｐ３ｎの信号は点滅制御線Ｐ３からの点滅制御信号である。
【００３４】
ここで、図３に示すようにパネルｎ番目の行の画素回路１３に接続された走査線Ｐ１・Ｐ２を各々Ｐ１ｎ・Ｐ２ｎとし、点滅制御線をＰ３ｎとする。パネルｎ行の書込みは走査線Ｐ１ｎがＨＩ、走査線Ｐ２ｎがＬＯＷ、点滅制御線Ｐ３ｎがＨＩの時に行われ、情報線Ｐ０から入力されるＩｄａｔａに従って画素回路１３に情報が記憶される。その後、走査線Ｐ１ｎがＬＯＷ、走査線Ｐ２ｎがＨＩになり、記憶情報に従って有機ＥＬ素子１５に電流が流せる状態となる。
【００３５】
また、図３に示すように点滅制御線Ｐ３ｎがＬＯＷになっている間、記憶された情報に従って有機ＥＬ素子１５に電流が流れ、有機ＥＬ素子１５が発光状態となる。更に、点滅制御線Ｐ３ｎがＨＩになり、有機ＥＬ素子１５への電流供給が遮断されて有機ＥＬ素子１５は非発光となる。
【００３６】
次に、点滅制御線Ｐ３ｎに供給する信号Ｃｎについて説明する。図４は点滅制御線駆動回路１４の一例を示すブロック図、図５はその各部の信号を示す信号波形図である。第１の信号である信号Ａ、第２の信号である信号Ｂは図示しない信号作成回路から送信される。信号Ａは垂直同期信号と同じ周波数の信号、信号Ｂは垂直同信号のｋ倍の周波数の信号である。図５の例では信号Ｂは信号Ａの２０倍の周波数となっているが、フリッカを低減するには信号Ｂは信号Ａの２倍以上の周波数とするのが良い。
【００３７】
信号ＢはＡＮＤ１８の一方の入力端子に出力され、信号ＡはシフトレジスタＳＲを介してＡＮＤ１８の他方の入力端子に出力される。シフトレジスタＳＲには図５のＣＬＫが供給される。ＣＬＫは信号Ｂの周波数の２倍以上の周波数とする。この結果、ＡＮＤ１８の出力から第１の信号である信号Ａと第２の信号である信号Ｂとの論理和の合成信号Ｃが出力される。
【００３８】
即ち、図４に示すようにＡＮＤ１８から合成信号Ｃ３１、Ｃ３２、…、Ｃ３ｎが出力され、この信号が表示領域の各行に順に出力される。図３に示す点滅制御信号（Ｐ３ｎの信号）は図４の合成信号Ｃ３ｎに対応する。図４の点滅制御線駆動回路１４から上述のように点滅制御線を介して各画素回路に点滅制御信号が供給され、１水平期間単位で順次１行毎に書込みを行う。
【００３９】
ここで、図３、図５において第１の信号の信号Ａは垂直同期信号に同期している。そうすることで、画素への情報書き込みタイミングと有機ＥＬ素子の発光タイミングをずらすことができ、表示パネル面内で均一な画質が得られる。同様に第２の信号の信号Ｂも垂直同期信号に同期しており、画素への情報書き込みタイミングと有機ＥＬ素子の発光タイミングをずらし、表示パネル面内で均一な画質が得られる。
【００４０】
このような表示装置で、動く物体（黒背景に白い物体）を表示する場合の動画像表示状態と見かけの像を図６に示す。即ち、図６（ａ）は動画像の発光状態と時間軸と視線の関係、図６（ｂ）は見かけの像を示すものである。画面上で物体が移動する際、物体の移動に追従して視線も連続的に移動する。その際、視覚情報として認識される見かけの輝度は、視界の各位置における輝度の積算量となる。
【００４１】
この時、見かけの像は図６（ｂ）に示すようになり、図１５に示すホールド型表示若しくは図１６に示す高周波点滅型表示と比べてエッジが際立って見えることが分かる（立ち上がりと立ち下がりの傾斜が急）。また、高周波の信号Ｂに由来して有機ＥＬ素子を点滅駆動するので、フリッカも低減することが可能となる。以上ようにして動画像解像度を高めつつ、フリッカを低減することができる。
【００４２】
（第２の実施形態）
次に、本発明の表示装置の第２の実施形態について説明する。第２の実施形態では、赤・緑・青それぞれ独立に点滅駆動制御を行う。図７は本実施形態の表示装置を示すブロック図である。
【００４３】
本実施形態の表示装置は、表示領域として画素回路（画素）６３がマトリクス状に配置されている。また、情報線Ｐ０から情報信号である制御電流Ｉｄａｔａを供給する情報線駆動回路６１を備えている。更に、第１の走査線である走査線Ｐ１から１垂直期間を示す垂直同期信号、第２の走査線である走査線Ｐ２から１水平期間を示す水平同期信号を供給する走査線駆動回路６２を備えている。
【００４４】
更に、点滅制御線Ｐ３から点滅制御信号を供給する点滅制御線駆動回路６４を備えている。画素回路６３は制御電流の値に従って画素に流す電流を制御する。画素回路１３は有機ＥＬ素子やその駆動回路等を含んでいる。
【００４５】
点滅制御線は各行に赤・青・緑それぞれ１本ずつ配置されている。画素回路（画素）６３としては、赤、青、緑の色を発光する発光素子を有する画素回路６３が行方向に順に配置され、それが繰り返し配置されている。有機ＥＬ素子を含む画素回路６３の構成は図２と同様である。画素回路の動作も同様である。
【００４６】
次に、表示装置全体の動作について説明する。図８は各信号線のタイミングチャートを示す。本表示装置では１水平期間の間に１つの走査線に接続された画素群に対して一括して情報電流を書き込む。
【００４７】
同様にして、順次次行の走査線に接続された画素群に対して一括して情報電流を書き込んでいき、１垂直期間（１６．６７ｍｓｅｃ：６０Ｈｚ相当）の間に全画素の書込みが終了する。図７に示す走査線Ｐ１ｎの信号は１垂直期間を示す垂直同期信号、走査線Ｐ２ｎの信号は１水平期間を示す水平同期信号である。
【００４８】
ここで、図８に示すようにパネルｎ番目の行の画素回路６３に接続された走査線Ｐ１・Ｐ２を各々Ｐ１ｎ・Ｐ２ｎとする。また、第１の実施形態とは異なり、点滅制御線は赤・緑・青の画素毎に独立に配線され、それぞれＰ３Rｎ、Ｐ３Gｎ、Ｐ３Ｂｎとする。画素回路６３としては、上述のように赤、緑、青で発光する有機ＥＬ素子を有する画素回路が順に行方向に配置されている。画素回路の構成は図２と同様であり、各画素回路への書込み動作、発光動作も第１の実施形態と同様である。
【００４９】
次に、点滅制御線Ｐ３Ｒｎ、Ｐ３Ｇｎ、Ｐ３Ｂｎに供給する信号ＣＲｎ、ＣＧｎ、ＣＢｎについて説明する。図９は点滅制御線駆動回路６４の内部ブロック図、図１０はその各部の信号波形を示す。
【００５０】
第１の信号である信号ＡＲ、信号ＡＧ、信号ＡＢは図示しない信号作成回路から送信される。これら信号ＡＲ、ＡＧ、ＡＢはそれぞれ垂直同期信号と同じ周波数である。第２の信号である信号Ｂは同様に図示しない信号作成回路から送信される。図１０の例では信号Ｂは信号ＡＲ、ＡＧ、ＡＢの２０倍の周波数となっているが、フリッカを低減するには信号Ｂは信号ＡＲ、ＡＧ、ＡＢの２倍以上の周波数とするのが良い。
【００５１】
信号Ｂは複数のＡＮＤ６９の一方の入力端子にそれぞれ出力される。ＡＮＤ６９は３個で１組となっており、図９の一番上のＡＮＤ６９の他方の入力端子に信号ＡＲがシフトレジスタＳＲを介して入力される。
【００５２】
２番目のＡＮＤ６９の他方の入力端子には信号ＡＧがシフトレジスタＳＲを介して入力され、３番目のＡＮＤ６９の他方の入力端子には信号ＡＢがシフトレジスタＳＲを介して入力される。各シフトレジスタＳＲには図１０のＣＬＫが供給される。ＣＬＫの周波数は信号Ｂの２倍以上の周波数とする。
【００５３】
この結果、一番上のＡＮＤ６９から第２の信号である信号Ｂと第１の信号である信号ＡＲの論理和である合成信号ＣＲ１、２番目のＡＮＤ６９から信号Ｂと信号ＡＧの論理和である合成信号ＣＧ１が出力される。また、３番目のＡＮＤ６９から信号Ｂと信号ＡＢの論理和である合成信号ＣＢ１が出力される。
【００５４】
以下、同様に４番目以降のＡＮＤ６９からも順次シフトレジスタＳＲを介して信号Ｂと信号ＡＲの論理和の合成信号、信号Ｂと信号ＡＧの論理和の合成信号、信号Ｂと信号ＡＢの論理和の合成信号が生成され、表示領域の各行に出力される。このようにして点滅制御信号の合成信号ＣＲ、ＣＧ、ＣＢが出力される。
【００５５】
図８に示す点滅制御線Ｐ３Ｒｎの信号は、図９の合成信号ＣＲｎに、Ｐ３Ｇｎの信号は合成信号ＣＧｎに、Ｐ３Ｂｎの信号は合成信号ＣＢｎに対応する。図４の点滅制御線駆動回路１４から上述のように点滅制御線を介して各画素回路に点滅制御信号が供給され、１水平期間単位で順次１行毎に書込みを行う。
【００５６】
本実施形態では、第１の信号である信号ＡＲ、信号ＡＧ、信号ＡＢはそれぞれ赤・緑・青の発光バランスを制御するのに用いられる。その際、信号ＡＲ、信号ＡＧ、信号ＡＢは図１０に示すように発光を司るパルス（ＬＯＷ）の立下り時点と立ち上がり時点の中間時点が信号ＡＲ、ＡＧ、ＡＢで同一タイミングとなるような波形となっている。従って、図８に示す点滅制御線ＰＲｎの信号、ＰＧｎの信号、ＰＢｎの信号の信号ＡＲ、ＡＧ、ＡＢに由来するパルスの中心は同一タイミングに揃う。そうすることで、エッジ部分における色割れを抑制することが可能となる。
【００５７】
ここで、図８、図１０において第１の信号である信号ＡＲ、ＡＧ、ＡＢは垂直同期信号に同期している。そうすることで、画素への情報書き込みタイミングと有機ＥＬ素子の発光タイミングをずらすことができ、表示パネル面内で均一な画質が得られる。同様に第２の信号の信号Ｂも垂直同期信号に同期しており、画素への情報書き込みタイミングと有機ＥＬ素子の発光タイミングをずらし、表示パネル面内で均一な画質が得られる。
【００５８】
本実施形態では、このような表示装置で動く物体（黒背景に白い物体）を表示する。その動画像表示状態と見かけの像を図９に示す。図９（ａ）はＲ（赤）、図９（ｂ）はＧ（緑）、図９（ｃ）はＢ（青）の動画表示状態を示し、図９（ｄ）は赤、緑、青の各色の見かけの像を示すものである。
【００５９】
図９（ａ）〜図９（ｃ）に示すように画面上で物体が移動する際、物体の移動に追従して視線も連続的に移動する。その際、視覚情報として認識される見かけの輝度は、視界の各位置における輝度の積算量となる。
【００６０】
この時、見かけの像は図９（ｄ）に示すようになり、図１５に示すホールド型表示、若しくは図１６に示す高周波点滅型表示と比べてエッジが際立って見える。また、高周波信号Ｂに由来して有機ＥＬ素子が点滅するのでフリッカも低減することが可能となる。更に、上述のように赤・緑・青の立ち上がるタイミング、立ち下がるタイミングの中心が揃っているため、エッジ部分での色にじみの発生を軽減できる。
【００６１】
以上のようにして、動画像解像度を高めつつ、フリッカを低減することができる。また、赤・緑・青の輝度バランスを発光期間で制御しつつ、動画表示の際のエッジ部分での色にじみの発生を軽減することが可能となる。
【００６２】
なお、以上の実施形態においては、有機ＥＬ素子を用いた表示装置を例に挙げて説明したが、本発明はこれに限定されるものではない。自発光型の表示装置であれば、好ましく適応できる。また、電流信号によって階調を制御する画素回路について説明したが、本発明はそれに限るものではなく、電圧信号によって階調を制御する画素回路を持つ表示装置であっても好ましく適応できる。
【図面の簡単な説明】
【００６３】
【図１】本発明の第１の実施形態に係る表示装置を示すブロック図である。
【図２】第１の実施形態の画素回路の一例を示す回路図である。
【図３】第１の実施形態の各部の信号波形と発光状態を示す信号波形図である。
【図４】第１の実施形態の点滅制御線駆動回路の一例を示す回路図である。
【図５】図４の点滅制御線駆動回路の各部の信号を示す図である。
【図６】第１の実施形態の発光状態と動画像の見かけの像を示す図である。
【図７】本発明の第２の実施形態を示すブロック図である。
【図８】第２の実施形態の各部の信号波形と発光状態を示す信号波形図である。
【図９】第２の実施形態の点滅制御線駆動回路の一例を示すブロック図である。
【図１０】図９の点滅制御線駆動回路の各部の信号を示す図である。
【図１１】第２の実施形態の発光状態と見かけの像を示す図である。
【図１２】従来例の表示装置を示す概略図である。
【図１３】従来例の画素回路を示す回路図である。
【図１４】インパルス型の動画表示状態と見かけの像を示す図である。
【図１５】ホールド型の動画表示状態と見かけの像を示す図である。
【図１６】高周波点滅型の動画表示状態と見かけの像を示す図である。
【符号の説明】
【００６４】
１１、６１  情報線駆動回路
１２、６２  走査線駆動回路
１３、６３  画素回路
１４、６４  点滅制御線駆動回路
１５  有機ＥＬ素子
１８、６９  ＡＮＤ
ＳＲ  シフトレジスタ
Ｐ０  情報線
Ｐ１、Ｐ２  走査線
Ｐ３  点滅制御線
Ｃ１  容量
Ｍ１〜Ｍ４  トランジスタ
【図１】
2008224853.tif 000003
【図２】
2008224853.tif 000004
【図３】
2008224853.tif 000005
【図４】
2008224853.tif 000006
【図５】
2008224853.tif 000007
【図６】
2008224853.tif 000008
【図７】
2008224853.tif 000009
【図８】
2008224853.tif 000010
【図９】
2008224853.tif 000011
【図１０】
2008224853.tif 000012
【図１１】
2008224853.tif 000013
【図１２】
2008224853.tif 000014
【図１３】
2008224853.tif 000015
【図１４】
2008224853.tif 000016
【図１５】
2008224853.tif 000017
【図１６】
2008224853.tif 000018